(57)【要約】【課題】ハウジングの内部にブラシ付モータが設けられる電動工具において、本機工具の情報を、部材点数を増やさずに且つ外部からの損傷を受け無いようにする。【解決手段】モータハウジング１６には、カーボンブラシ２５を交換するための交換用開口部５４が設けられる。また、モータハウジング１６には、交換用開口部５４を閉塞するホルダカバー６１が取り付けられている。このホルダカバー６１により閉塞されるモータハウジング１６の段差周面５５には、表示領域部５６が設定されている。この表示領域部５６には製造番号シール５７が貼り付けられており、ホルダカバー６１を開けると外部から視認可能にされる。この製造番号シール５７は、ホルダカバー６１により閉塞される箇所であり、ホルダカバー６１は、カーボンブラシ２５を交換するための交換用開口部５４を閉塞する不可欠構成である。【選択図】図３
2015205384.tif 000002
【特許請求の範囲】
【請求項１】
ハウジングの内部にブラシ付モータが設けられる電動工具であって、
前記ハウジングには、前記ブラシ付モータのブラシを交換するための交換用開口部が設けられると共に該交換用開口部を閉塞する開閉蓋が取り付けられており、
前記開閉蓋により閉塞される前記ハウジングまたは該開閉蓋の閉塞内部面には、本機工具の情報を表示可能とする表示領域部が設定されている、ことを特徴とする電動工具。
【請求項２】
請求項１に記載の電動工具において、
前記表示領域部は、前記ハウジングにおける前記閉塞内部面に設定される、ことを特徴とする電動工具。
【請求項３】
請求項１または請求項２に記載の電動工具において、
前記本機工具の情報は、該電動工具の製造に関する情報である、ことを特徴とする電動工具。
【請求項４】
請求項１から請求項３のいずれかに記載の電動工具において、
前記表示領域部に表示設定される本機工具の情報は、該表示領域部に貼り付けられるシール部材に印字されている、ことを特徴とする電動工具。
【請求項５】
請求項１から請求項４のいずれかに記載の電動工具において、
前記開閉蓋は、前記ハウジングにヒンジピンによりヒンジ結合され、該ヒンジピンを回動軸とする回動により開け閉めされる、ことを特徴とする電動工具。
【請求項６】
請求項５に記載の電動工具において、
前記ヒンジピンが非導電材料で成形される、ことを特徴とする電動工具。
【請求項７】
請求項１から請求項６のいずれかに記載の電動工具において、
前記ブラシ付モータは、磁石を有して前記ハウジングに固定される固定子と、モータ軸および巻線を有して該固定子に対して相対的に回転する回転子と、該巻線に電力を供給するための整流子と、該整流子に電気的に接触する２つのブラシと、を有し、
前記ハウジングの内部には、前記巻線への電力の供給を制御するコントローラを有し、
前記コントローラは、回転周方向に沿った前記２つのブラシ同士の間に設定されている、ことを特徴とする電動工具。
【発明の詳細な説明】
【技術分野】
【０００１】
本発明は、ハウジングの内部にブラシ付モータが設けられる電動工具に関する。
【背景技術】
【０００２】
近年、施工現場では、各種の電動工具が広く利用されている。このような電動工具の多くは、駆動源としてブラシ付モータがハウジングの内部に設けられている。このため、このような電動工具のハウジングには、ブラシ付モータのカーボンブラシを取り替えることができるようにされている。すなわち、このようなハウジングには、磨耗したカーボンブラシを交換可能とする交換用開口部が設けられている（例えば特許文献１参照）。
【０００３】
ところで、このような電動工具には、外部から視認可能に製造番号シールが貼り付けられている。この製造番号シールには、貼り付けられる電動工具の製造年月や製造場所などの各種の本機工具の情報が記載されている。この製造番号シールは、一般的に製品の品質管理の観点から貼り付けられている。このため、この製造番号シールに記載される本機工具の情報は、このような電動工具が使用される限り外部から識別できるようにしておきたい。
【先行技術文献】
【特許文献】
【０００４】
【特許文献１】特開２０００−３２４７６５号公報
【発明の概要】
【発明が解決しようとする課題】
【０００５】
しかしながら、上記した電動工具にあっては施工現場で使用されるため、電動工具のハウジングは外部からの多く損傷を受けてしまう。このため、上記した製造番号シールに記載される本機工具の情報は、損傷によって印字を剥がしてしまうこともあり、このような状況を解消したい。
【０００６】
本発明は、このような事情に鑑みなされたものであって、本発明が解決しようとする課題は、ハウジングの内部にブラシ付モータが設けられる電動工具において、電動工具の製造番号などの本機工具の情報を、部材点数を増やさずに且つ外部からの損傷を受け無いようにすることにある。
【課題を解決するための手段】
【０００７】
上記した課題を解決するにあたって、本発明に係る電動工具は次の手段をとる。すなわち、本発明の第１の発明に係る電動工具は、ハウジングの内部にブラシ付モータが設けられる電動工具であって、前記ハウジングには、前記ブラシ付モータのブラシを交換するための交換用開口部が設けられると共に該交換用開口部を閉塞する開閉蓋が取り付けられており、前記開閉蓋により閉塞される前記ハウジングまたは該開閉蓋の閉塞内部面には、本機工具の情報を表示可能とする表示領域部が設定されている、ことを特徴とする。なお、この本機工具の情報には、いわゆるシリアルナンバー（製造番号）などの本機工具（当該電動工具）の製造に関する情報をはじめとして、本機工具の使用者に関する情報や、本機工具の所有者に関する情報など、本機工具を個体として分類あるいは特定が可能な様々な情報を含むものとなっている。
【０００８】
この第１の発明に係る電動工具によれば、表示領域部にて表示される本機工具の情報は、開閉蓋により閉塞される箇所に配置されることとなる。これによって、表示領域部に設定された本機工具の情報は、通常時に外部に露出させていないので外部からの損傷を受け無いようにできる。また、開閉蓋にあってはブラシを交換するための交換用開口部を閉塞する不可欠構成であるので、新たに部材を設ける必要も無いものである。したがって、第１の発明に係る電動工具によれば、電動工具の本機工具の情報を、部材点数を増やさずに且つ外部からの損傷を受け無いようにすることができる。ところで、表示領域部にて表示される本機工具の情報は、少なくとも開閉蓋を開けた場合に外部から視認可能にされるように設定される。なお、閉塞蓋にあっては例えば透明な素材により形成されて、閉塞蓋で閉塞されている場合でも表示領域部にて表示される本機工具の情報を外部から視認可能とされるようにしてもよい。
【０００９】
また、第２の発明に係る電動工具は、前記第１の発明に係る電動工具において、前記表示領域部は、前記ハウジングにおける前記閉塞内部面に設定される、ことを特徴とする。この第２の発明に係る電動工具によれば、表示領域部はハウジングの閉塞内部面に設定されるので、この本機工具の情報を本機工具（当該電動工具）と一体不可分とすることができる。これによって、仮に開閉蓋を紛失しても、本機工具の情報を紛失せずに、本機工具に関しての情報を把握することが可能となる。
【００１０】
また、第３の発明に係る電動工具は、前記第１または前記第２の発明に係る電動工具において、前記本機工具の情報は該電動工具（本機工具）の製造に関する情報である、ことを特徴とする。この第３の発明に係る電動工具によれば、本機工具の情報は本機工具（当該電動工具）の製造に関する情報であるので、本機工具の製造に関する情報を把握することができる。これによって、本機工具の製造上に不具合があった場合に、この本機工具と類似する製造状態の電動工具を特定することができて、電動工具についての品質管理を強化できる。
【００１１】
また、第４の発明に係る電動工具は、前記第１から前記第３のいずれかの発明に係る電動工具において、前記表示領域部に表示設定される本機工具の情報は、該表示領域部に貼り付けられるシール部材に印字されている、ことを特徴とする。この第４の発明に係る電動工具によれば、表示領域部に表示設定される本機工具の情報は表示領域部に貼り付けられるシール部材に印字されているので、簡単に表示領域部に本機工具の情報を表示設定することができる。
【００１２】
また、第５の発明に係る電動工具は、前記第１から前記第４のいずれかの発明に係る電動工具において、前記開閉蓋は、前記ハウジングにヒンジピンによりヒンジ結合され、該ヒンジピンを回動軸とする回動により開け閉めされる、ことを特徴とする。この第５の発明に係る電動工具によれば、開閉蓋はハウジングにヒンジピンによりヒンジ結合されヒンジピンを回動軸とする回動により開け閉めされるので、開閉蓋を紛失し難くすることができる。
【００１３】
また、第６の発明に係る電動工具は、前記第５の発明に係る電動工具において、前記ヒンジピンが非導電材料で成形される、ことを特徴とする。この第６の発明に係る電動工具によれば、ヒンジピンが非導電材料で成形されるので、ハウジング並びに開閉蓋と同様に電気的絶縁性を高めることができる。
【００１４】
また、第７の発明に係る電動工具は、前記第１から前記第６のいずれかの発明に係る電動工具において、前記ブラシ付モータは、磁石を有して前記ハウジングに固定される固定子と、モータ軸および巻線を有して該固定子に対して相対的に回転する回転子と、該巻線に電力を供給するための整流子と、該整流子に電気的に接触する２つのブラシと、を有し、前記ハウジングの内部には、前記巻線への電力の供給を制御するコントローラを有し、前記コントローラは、回転周方向に沿った前記２つのブラシ同士の間に設定されている、ことを特徴とする。この第７の発明に係る電動工具によれば、デッドスペースとなる回転周方向に沿った２つのブラシ同士の間を、コントローラ配置スペースとして利用することができるので、電動工具全体としてのコンパクト化を図ることができる。
【図面の簡単な説明】
【００１５】
【図１】ブラシホルダカバーの外観を一部切り欠いて示す一部切欠き断面図である。
【図２】図１のブラシホルダカバーの外観を拡大して示す一部切欠き断面図である。
【図３】ブラシホルダカバーを開けた場合を斜視にて示す斜視図である。
【図４】ディスクグラインダの内部構造を示す前後上下断面図である。
【図５】ディスクグラインダの内部構造を示す前後左右断面図である。
【図６】図４の(VI)-(VI)断面矢視を示す断面図である。
【図７】図４の(VII)-(VII)断面矢視を示す断面図である。
【図８】図４の(VIII)-(VIII)断面矢視を示す断面図である。
【図９】図４の(IX)-(IX)断面矢視を示す断面図である。
【図１０】図４の(X)-(X)断面矢視を示す断面図である。
【図１１】図４における冷却風の流れを模式的に示す断面図である。
【発明を実施するための形態】
【００１６】
以下、本発明に係る電動工具を実施するための実施の形態について説明する。なお、本発明に係る電動工具として、図４および図５に示すディスクグラインダ１０を例示している。すなわち、図１の一部切欠き断面図はホルダカバー６１の外観を一部切り欠いて示す。図２の断面図は、図１のホルダカバー６１の外観を拡大して示す一部切欠き断面図である。図３の斜視図はホルダカバー６１を開けた場合を斜視にて示す。図４の前後上下断面図はディスクグラインダ１０の内部構造を示す。図５の前後左右断面図はディスクグラインダ１０の内部構造を示す。なお、ディスクグラインダ１０およびホルダカバー６１を説明するにあたっては、図面記載の前後上下左右の方向に基づいて説明する。
【００１７】
まず、ディスクグラインダ１０の概略構造について説明する。ディスクグラインダ１０は、図１に示すように、砥石Ｂを回転させて研削や研磨を行う電動工具である。このディスクグラインダ１０は、ＡＣ電源から電力が供給されて利用される電動工具となっている。ディスクグラインダ１０は、概略、モータ部１５と、モータ部１５の前側に設けられるギヤ出力部３０と、モータ部１５の後側に設けられるハンドル部４０とを有する。なお、図６の断面図は、図４の(VI)-(VI)断面矢視を示す。図７の断面図は、図４の(VII)-(VII)断面矢視を示す。図８の断面図は、図４の(VIII)-(VIII)断面矢視を示す。図９の断面図は、図４の(IX)-(IX)断面矢視を示す。図１０の断面図は、図４の(X)-(X)断面矢視を示す。
【００１８】
モータ部１５は、概略、モータハウジング１６と、電動モータ２０と、冷却ファン１８と、コントローラ２８とを備える。モータハウジング１６は、前後が開口された円筒状の樹脂の成形部材となっている。このモータハウジング１６の内部に、電動モータ２０と冷却ファン１８とコントローラ２８が設けられている。電動モータ２０は、広く利用されるブラシ付モータにて構成される。電動モータ２０は、概略、固定子２２と、回転子２３と、整流子２４と、２つのカーボンブラシ２５とを備える。固定子２２は、モータハウジング１６の左右両側それぞれの内周面１６１に設けられている。固定子２２は、モータハウジング１６に螺子２２３により固定される永久磁石２２１となっている。固定子２２は、モータハウジング１６のうち、次に説明する回転子２３の巻線２３３と対面される位置に配置されている。このため、固定子２２は、モータハウジング１６の前後方向の略真ん中位置に配置されるものとなっている。
【００１９】
回転子２３は、モータ軸２３１および巻線２３３を有して固定子２２に対して相対的に回転する。モータ軸２３１は、モータハウジング１６の内部で前後方向に延びるように配置される。モータ軸２３１は、前後位置が前側ベアリング２３５および後側ベアリング２３６に回転可能に支持される。前側ベアリング２３５は、ギヤハウジング３１に支持されるボールベアリングとなっている。後側ベアリング２３６は、モータハウジング１６に支持されるボールベアリングとなっている。モータ軸２３１の略中間位置に巻線（コイル）２３３が取り付けられている。巻線２３３は、固定子２２に対面配置されているようにモータ軸２３１に設けられている。モータ軸２３１の前端は、支持される前側ベアリング２３５より前側に突き出される。モータ軸２３１の前端には、モータ軸２３１と一体に回転する駆動側ベベルギヤ２３２が設けられている。この駆動側ベベルギヤ２３２は、後に説明する従動側ベベルギヤ３４と噛合して出力軸３３へと動力伝達する。
【００２０】
また、前側ベアリング２３５が、駆動側ベベルギヤ２３２の後側のモータ軸２３１を支持している。また、モータ軸２３１のうち、前側ベアリング２３５の後側であり巻線２３３の前側には、冷却ファン１８が取り付けられている。この冷却ファン１８は、遠心式送風ファンにて構成される。このため、この冷却ファン１８は、モータ軸２３１の回転軸線に沿って後から前側に向けて吸気する。また、冷却ファン１８は、モータ軸２３１の回転軸線で中心から遠心方向に向けて排気する。図示符号１９はファンカバーであり、冷却ファン１８が回転することによる吸気排気の流れを区画する。
【００２１】
整流子（コンミテータ）２４は、巻線２３３の後部に設けられている。整流子２４は、巻線２３３と電気的に接続され、２つのカーボンブラシ２５と電気的に接触可能にされている。また、２つのカーボンブラシ２５は、回転する整流子２４と対面可能な位置に設けられている。２つのカーボンブラシ２５のそれぞれは、ブラシホルダ５１により保持される。具体的には、後にも詳述するが、ブラシホルダ５１は、モータハウジング１６の左右両側それぞれの内周面１６１に設けられている。この整流子２４の後側となるモータ軸２３１の後端は、後側ベアリング２３６により支持されている。
【００２２】
コントローラ２８は、上記した巻線２３３への電力の供給を制御するものである。このコントローラ２８は、回転周方向に沿った２つのカーボンブラシ２５同士の間に配置されている。具体的には、コントローラ２８は、モータハウジング１６の内部のうち、整流子２４および後側ベアリング２３６の下側空間に設けられている。つまり、コントローラ２８は、モータハウジング１６の内部に設けられる支持リブ１６３により、モータハウジング１６の内部にて固定支持されている。なお、後に説明するが、コントローラ２８の後側のハンドルハウジング４１に吸気用開口部４８が設けられている。なお、このコントローラ２８は、電動モータ２０の回転駆動に関する制御を行うものであり、ケースに制御回路基板を内蔵して構成される。また、この制御回路基板は、電動モータ２０を制御するマイクロコンピュータやコンデンサなどの各種の電気部品を有して構成される。
【００２３】
次に、ギヤ出力部３０について説明する。ギヤ出力部３０は、概略、ギヤハウジング３１と、出力軸３３と、砥石ホルダ３７とを備える。ギヤハウジング３１の後端は、モータハウジング１６の前端と連接されるように形成される。ギヤハウジング３１は、後側からギヤハウジング３１の内部にモータ軸２３１が入り込むように設定され、下側からギヤハウジング３１の外部に出力軸３３が突き出されるように設定される。このため、ギヤハウジング３１は、その後部にて前側ベアリング２３５を支持する。また、ギヤハウジング３１のうち、この前側ベアリング２３５を支持する箇所の上側と下側（不図示）には、排気用開口部３２が設けられている。また、ギヤハウジング３１は、３つのボールベアリング３５１，３５２，３５３を支持する。３つのボールベアリング３５１，３５２，３５３は、出力軸３３を回転可能に支持する。この出力軸３３の上部には、出力軸３３と一体に回転する従動側ベベルギヤ３４が設けられている。この従動側ベベルギヤ３４は、上記した駆動側ベベルギヤ２３２と噛合する。出力軸３３の下部には、砥石ホルダ３７が設けられている。砥石ホルダ３７は、砥石Ｂを保持する留め構造を有する。なお、図示符号３９は、砥石カバーである。
【００２４】
次に、ハンドル部４０について説明する。ハンドル部４０は、概略、ハンドルハウジング４１と、駆動スイッチ４３とを備える。ハンドルハウジング４１は、モータハウジング１６と略同様に、前後方向に延びている。このハンドルハウジング４１の前端は、モータハウジング１６の後端と連接されるように形成される。また、このハンドルハウジング４１の後端には、ＡＣ電源に繋げる電源コード支持部４９が設けられている。このハンドルハウジング４１の中間部分には、使用者に手で握れるようにするループ空間部４２が設けられている。このループ空間部４２をなすハンドルハウジング４１の上部に、駆動スイッチ４３が設けられている。この駆動スイッチ４３は、スイッチ本体４４と、トリガ部４５と、付勢ばね４６とを備える。なお、この駆動スイッチ４３は、付勢ばね４６の付勢に抗してトリガ部４５を手で握った場合、このトリガ部４５は上側に上がってスイッチ本体４４は電気的接点オンとされる。そうすると、スイッチ本体４４は、上記したコントローラ２８に向けて、オン入力されている旨の入力信号を送る。
【００２５】
また、ハンドルハウジング４１の前部には、吸気用開口部４８が設けられている。このため、冷却ファン１８が回転すると、ハンドルハウジング４１の外部の外気が吸気用開口部４８から通じて吸気される。図１１の断面図は、ディスクグラインダ１０の冷却風の流れを模式的に示している。図１１における太線は、冷却風Ｗの流れを示している。すなわち、吸気された外気は、冷却風としてモータハウジング１６の内部を通気して冷却ファン１８に吸引される。また、冷却ファン１８から排出された冷却風は、ギヤハウジング３１の排気用開口部３２から排気される。ここで、モータハウジング１６を通気する冷却風は、コントローラ２８を冷却すると共に、整流子２４や巻線２３３も冷却する。なお、コントローラ２８は、吸気用開口部４８に最も近接して配置されるので、冷却ファン１８による冷却風はコントローラ２８を優先的に冷却するものとなっている。更に言えば、コントローラ２８に次いで吸気用開口部４８に近接して配置される整流子２４も冷却効果が高められている。
【００２６】
モータハウジング１６には、図３および図８に示すように、上記した２つのカーボンブラシ２５を保持するブラシ保持構造５０が設けられている。このブラシ保持構造５０は、カーボンブラシ２５を交換可能に設定されている。なお、ブラシ保持構造５０は、左右対称で対をなして設定されている。ブラシ保持構造５０は、概略、ブラシホルダ５１とホルダカバー６１とを備える。なお、ホルダカバー６１は、本発明に係る開閉蓋に相当するものであり、交換用開口部５４を閉塞するように機能する。なお、交換用開口部５４は、電動モータ２０のカーボンブラシ２５を交換するために、モータハウジング１６に設けられる開口部である。ブラシホルダ５１は、カーボンブラシ２５を収容可能な構造を有して形成される。すなわち、ブラシホルダ５１は、概略、カーボンブラシ２５を収容可能に設定されるホルダ本体５２と、収容されたカーボンブラシ２５を整流子２４に接触させるように付勢するブラシ付勢ばね部材５３とを備える。なお、図示符号１６９は、モータハウジング１６の外周面１６５の上下位置に設けられる滑り止め部である。
【００２７】
ホルダ本体５２は、モータハウジング１６の内周面１６１にモータハウジング１６と一体に成形されている。ホルダ本体５２は、カーボンブラシ２５を収容可能とする収容空間５２１を形成するように設定されている。収容空間５２１は、左右両端が開口されて左右方向に延びるように形成されている。ホルダ本体５２（収容空間５２１）の内部中心側の開口端５２３は、整流子２４に向いて整流子２４に接触可能に開口されている。ホルダ本体５２（収容空間５２１）の外部遠心側の開口端５２５は、交換用開口部５４に向けて開口されている。つまり、カーボンブラシ２５は、ホルダ本体５２の外部遠心側の開口端５２５からを差し込まれ、内部中心側の開口端５２３から僅かに突き出されるまで押し込まれるようにして、収容空間５２１に収容される。
【００２８】
ブラシ付勢ばね部材５３は、巻きばね５３１とばね支持部材５３３とを備える。巻きばね５３１は、内端側がばね支持部材５３３に支持され、外端側が収容空間５２１に収容されたカーボンブラシ２５の外端２５３に当接される。ばね支持部材５３３は、モータハウジング１６に設けられる嵌め込み部５３５に嵌め込まれてモータハウジング１６に固定支持されている。このようにして、ブラシ付勢ばね部材５３は、カーボンブラシ２５の外端２５３に当てることにより整流子２４に向けた内部中心側に付勢している。内部中心側に付勢されるカーボンブラシ２５は、ホルダ本体５２にガイドされることにより、内端２５１を好適に整流子２４に当てることができる。なお、ばね支持部材５３３を嵌め込み部５３５から取り外すと、同時に巻きばね５３１もモータハウジング１６から取り外されることとなる。この際、カーボンブラシ２５をホルダ本体５２から取り出して、新しいカーボンブラシ２５を収容することができる。
【００２９】
また、モータハウジング１６の左右両側には、図３に示すように、カーボンブラシ２５を交換するための交換用開口部５４が設けられている。この交換用開口部５４は、ホルダ本体５２（収容空間５２１）の外部遠心側の開口端５２５を外部に露出させるように設定される。交換用開口部５４は、図示されるように矩形の開口形状を有して形成される。この交換用開口部５４の開口端縁５４１は、モータハウジング１６の外周面１６５よりも一段内側に入り込んだ箇所に設定されている。このため、交換用開口部５４がホルダカバー６１によって閉塞された場合には、ホルダカバー６１の外周面６１５とモータハウジング１６の外周面１６５とが面一になるように一段内側に入り込んだ箇所に設定されている。
【００３０】
ここで交換用開口部５４の周囲には、段差周面５５が設けられている。この段差周面５５の一段内側に入り込む深さとしては、少なくともホルダカバー６１の板厚分を収容可能とする深さに設定されている。この段差周面５５は、閉塞されたホルダカバー６１の内周面６１１と面接触可能に形成される。この段差周面５５は、ホルダカバー６１の内周面６１１と面接触してホルダカバー６１の内側への押圧に抗してホルダカバー６１を支持するカバー支持面をなしている。すなわち、段差周面５５は、ホルダカバー６１を閉塞した場合にホルダカバー６１の周縁部６２を当接させる周縁部５５１を有する。なお、この周縁部５５１には、閉じた状態のホルダカバー６１を引き上げ易くするための引掛け凹部５５２が設けられている。この引掛け凹部５５２は、交換用開口部５４の下側に配置される下側周縁部５５３に設定されている。この引掛け凹部５５２は、ホルダカバー６１を引き上げるために指や爪を入り込ませることが可能な切り欠いた隙間が形成される。なお、この引掛け凹部５５２に対向配置される上側周縁部５５４には、ホルダカバー６１の回動軸となるヒンジピン６３が配置されている。
【００３１】
この段差周面５５は、本発明に係る閉塞内部面に相当する。つまり、段差周面５５は、モータハウジング１６の一部として形成されると共にホルダカバー６１により閉塞される内部面である。逆に言えば、段差周面５５は、ホルダカバー６１を開けるとモータハウジング１６の一部として外部に露出される内部面となっている。このため、ホルダカバー６１が開けられた場合の段差周面５５は、外部から視認可能となっている。この段差周面５５は、モータハウジング１６の外周面１６５と同様の湾曲面を有して形成されている。この段差周面５５には、表示領域部５６が設けられている。この表示領域部５６は、交換用開口部５４の前側に配置される前側周縁部５５５に設定されている。具体的には、表示領域部５６は、前側周縁部５５５から前側に向けて適宜の幅を有して形成される。この適宜の幅としては、次に説明する製造番号シールに５７を貼り付けることができる程度の領域が確保されていれば足りる。つまり、表示領域部５６は、次に説明する製造番号シール５７が貼り付けられることにより、外部から視認可能に本機工具の情報の表示が設定されるものとなる。なお、この段差周面５５に対向配置される後側周縁部５５６には、ホルダカバー６１を螺子部材６９より螺子締結させるための雌螺子部５５７が設けられている。
【００３２】
表示領域部５６に貼り付けられる製造番号シール５７は、本発明に係るシール部材に相当する。この製造番号シール５７は、表面側に製造番号（シリアルナンバー）が印字されており、裏面側に接着可能な粘着剤が塗布されている。この製造番号シール５７に印字される製造番号は、このディスクグラインダ１０の製造に関する情報である。なお、この製造番号としては、このディスクグラインダ１０を製造した年月日や地域（国や地名）や工場名などに関する情報を表すものが含まれる。なお、この製造番号シール５７は、広く利用されるシリアルナンバー（製造番号）シールと略同様のものである。つまり、表示領域部５６は、製造番号シール５７の貼付けにより表示設定される。なお、このディスクグラインダ１０が本発明に係る本機工具に相当すると共に、このディスクグラインダ１０に関する情報が本発明に係る本機工具の情報に相当する。また、このようなディスクグラインダ１０に関する情報としては、いわゆる製造番号（シリアルナンバー）であるディスクグラインダ１０の製造に関する情報をはじめ、ディスクグラインダ１０の使用者に関する情報や、ディスクグラインダ１０の所有者に関する情報などが含まれる。つまり、この表示領域部５６にて表示される情報は、このディスクグラインダ１０を個体として分類したり、あるいは個体として特定したりするための情報である。
【００３３】
次に、ホルダカバー６１について説明する。ホルダカバー６１は、上記したように交換用開口部５４を閉塞するカバーとなっている。このホルダカバー６１は、モータハウジング１６に対してヒンジピン６３によりヒンジ結合されている。具体的には、ヒンジピン６３は、モータハウジング１６に設けられる嵌合孔１６７に嵌め込まれてモータハウジング１６と一体になっている。このヒンジピン６３は、非導電材料となるプラスチック樹脂で成形されている。これに対し、ホルダカバー６１には延設部６４が設けられており、この延設部６４にはヒンジピン６３が差し込まれる軸孔６４１が設けられている。これにより、ホルダカバー６１は、軸孔６４１に差し込まれたヒンジピン６３を回動軸にして、開け閉め回動させることができる。なお、軸孔６４１には、ヒンジピン６３を嵌め込んだり外したりすることができる切欠き部６５が設けられている。つまり、切欠き部６５を通じて軸孔６４１にヒンジピン６３を嵌め込ませると、モータハウジング１６にホルダカバー６１を取り付けることができる。また、切欠き部６５を通じて軸孔６４１からヒンジピン６３を外すと、モータハウジング１６からホルダカバー６１を取り外すことができる。
【００３４】
また、ホルダカバー６１は、交換用開口部５４を閉じた場合にモータハウジング１６の外周面１６５と面一となる外周面６１５を有する。具体的には、図８に示すように、ホルダカバー６１の外周面６１５は、モータハウジング１６の外周面１６５と共に面一の円弧をなすように形成されている。また、このホルダカバー６１の内周面６１１には、適宜の補強リブ６６が設けられている。この補強リブ６６は、ホルダカバー６１の内周面６１１から内部側に突出して設けられている。なお、このホルダカバー６１の内周面６１１のうち、上記した段差周面５５に対面する対面部６７は、段差周面５５と対面して面接触可能な湾曲面を有して形成されている。なお、このホルダカバー６１には、螺子部材６９より螺子締結させるための螺子孔６８が設けられている。これにより、螺子孔６８に挿し通された螺子部材６９を雌螺子部５５７に螺子締結させることによって、ホルダカバー６１は交換用開口部５４を閉じた状態でモータハウジング１６と一体に固定される。
【００３５】
上記したディスクグラインダ１０によれば、次のような作用効果を奏することができる。すなわち、このディスクグラインダ１０によれば、表示領域部５６にて表示される製造番号（シリアルナンバー）シール５７は、ホルダカバー６１が開けられた場合に外部から視認可能にされつつ、ホルダカバー６１により閉塞される箇所に配置されることとなる。これによって、表示領域部５６に設定された製造番号シール５７は、通常時に外部に露出させていないので外部からの損傷を受け無いようにできる。また、ホルダカバー６１にあっては、カーボンブラシ２５を交換するための交換用開口部５４を閉塞する不可欠構成であるので、新たに部材を設ける必要も無いものである。したがって、このディスクグラインダ１０によれば、ディスクグラインダ１０の製造番号シール５７を、部材点数を増やさずに且つ外部からの損傷を受け無いようにすることができる。
【００３６】
また、このディスクグラインダ１０によれば、表示領域部５６はモータハウジング１６の段差周面５５に設定されるので、この製造番号シール５７を本機工具となるディスクグラインダ１０と一体不可分とすることができる。これによって、仮にホルダカバー６１を紛失しても、ディスクグラインダ１０に関しての製造番号シール５７を紛失せずに、本機工具となるディスクグラインダ１０に関しての情報を把握することが可能となる。また、このディスクグラインダ１０によれば、表示領域部５６にはディスクグラインダ１０の製造に関する情報となる製造番号シール５７が表示設定されるので、ディスクグラインダ１０の製造に関する情報を把握することができる。これによって、ディスクグラインダ１０の製造上に不具合があった場合に、このディスクグラインダ１０と類似する製造状態のディスクグラインダ１０を特定することができて、ディスクグラインダ１０についての品質管理を強化できる。
【００３７】
このディスクグラインダ１０によれば、表示領域部５６に表示設定される製造番号は表示領域部５６に貼り付けられる製造番号シール５７に印字されているので、簡単に表示領域部５６に製造番号を表示設定することができる。また、このディスクグラインダ１０によれば、ホルダカバー６１はヒンジピン６３を回動軸とする回動により開け閉めされるので、ホルダカバー６１を紛失し難くすることができる。また、このディスクグラインダ１０によれば、ヒンジピン６３が非導電材料で成形されるので、モータハウジング１６並びにホルダカバー６１と同様に電気的絶縁性を高めることができる。また、このディスクグラインダ１０によれば、デッドスペースとなる回転周方向に沿った２つのカーボンブラシ２５同士の間を、コントローラ２８の配置スペースとして利用することができるので、ディスクグラインダ１０全体としてのコンパクト化を図ることができる。
【００３８】
なお、本発明に係る電動工具にあっては、上記したディスクグラインダ１０の構成に限定されるものではなく、ハンマドリルやドライバドリルなどブラシ付モータが設けられる電動工具であれば適宜の電動工具に応用することができる。また、各種の電動工具に応用する場合には、上記したホルダカバー６１の構造を適宜に変更して本発明に係る開閉蓋の構造とすることができる。また、本発明に係る閉塞内部面としては、上記した段差周面５５の例に限定されることなく、ホルダカバー６１により閉塞されるモータハウジング１６またはホルダカバー６１のいずれの部分に設定されるものであってもよい。また、外部から視認可能に本機工具の情報を表示する構成としては、上記した製造番号シール５７の例に限定されることなく、適宜の刻印などにより表示されるものであってもよい。また、本機工具の情報としては、上記したような製造番号の例に限定されることなく、本機工具を個体として分類あるいは特定が可能な様々な情報であってよい。例えば、本機工具の使用者に関する情報や、本機工具の所有者に関する情報などがある。
【符号の説明】
【００３９】
１０  ディスクグラインダ（電動工具、本機工具）
１５  モータ部
１６  モータハウジング
１６１  モータハウジングの内周面
１６３  支持リブ
１６５  モータハウジングの外周面
１６７  嵌合孔
１６９  滑り止め部
１８  冷却ファン
１９  ファンカバー
２０  電動モータ
２２  固定子
２２１  永久磁石
２２３  螺子
２３  回転子
２３１  モータ軸
２３２  駆動側ベベルギヤ
２３３  巻線
２３５  前側ベアリング
２３６  後側ベアリング
２４  整流子
２５  カーボンブラシ
２５１  カーボンブラシの内端
２５３  カーボンブラシの外端
２８  コントローラ
３０  ギヤ出力部
３１  ギヤハウジング
３２  排気用開口部
３３  出力軸
３４  従動側ベベルギヤ
３５１，３５２，３５３  ボールベアリング
３７  砥石ホルダ
３９  砥石カバー
４０  ハンドル部
４１  ハンドルハウジング
４２  ループ空間部
４３  駆動スイッチ
４４  スイッチ本体
４５  トリガ部
４６  付勢ばね
４８  吸気用開口部
４９  電源コード支持部
５０  ブラシ保持構造
５１  ブラシホルダ
５２  ホルダ本体
５２１  収容空間
５２３  内部中心側の開口端
５２５  外部遠心側の開口端
５３  ブラシ付勢ばね部材
５３１  巻きばね
５３３  ばね支持部材
５３５  嵌め込み部
５４  交換用開口部
５４１  開口端縁
５５  段差周面（閉塞内部面）
５５１  周縁部
５５２  引掛け凹部
５５３  下側周縁部
５５４  上側周縁部
５５５  前側周縁部
５５６  後側周縁部
５５７  雌螺子部
５６  表示領域部
５７  製造番号シール（シール部材）
６１  ホルダカバー（開閉蓋）
６１１  ホルダカバーの内周面
６１５  ホルダカバーの外周面
６２  周縁部
６３  ヒンジピン
６４  延設部
６４１  軸孔
６５  切欠き部
６６  補強リブ
６７  対面部
６８  螺子孔
６９  螺子部材
Ｂ  砥石
【図１】
2015205384.tif 000003
【図２】
2015205384.tif 000004
【図３】
2015205384.tif 000005
【図４】
2015205384.tif 000006
【図５】
2015205384.tif 000007
【図６】
2015205384.tif 000008
【図７】
2015205384.tif 000009
【図８】
2015205384.tif 000010
【図９】
2015205384.tif 000011
【図１０】
2015205384.tif 000012
【図１１】
2015205384.tif 000013